(57)【特許請求の範囲】
【請求項１】
スチーム発生部を備える髪ケア装置であって、
スチーム発生部は、液体を貯留可能で且つヒータからの熱を受熱可能な液体貯留室と、前記液体貯留室とフィルタで区画されたスチーム室と、前記スチーム室に設けられて前記液体貯留室内で蒸発したスチームを吹き出すスチーム噴霧口と、前記スチーム噴霧口を開閉する開閉弁と、を備え、
前記髪ケア装置は、吸込口および吹出口を有するハウジングと、前記ハウジング内に配置されたファンと、を備えるヘアドライヤーであり、
前記ハウジング内に配置され前記ファンにより送風される空気を暖める円筒状の温風用ヒータを備え、
前記スチーム発生部は、前記円筒状の温風用ヒータの内周側に一部が位置して温風用ヒータの熱を受熱可能に配置されていることを特徴とする髪ケア装置。
【請求項２】
請求項１に記載の髪ケア装置であって、
前記スチーム発生部は前記ハウジング内に配置され、前記スチーム噴霧口が前記ハウジング内において当該ハウジングの吹出口とほぼ面一に配置されていることを特徴とする髪ケア装置。
【発明の詳細な説明】
【技術分野】
【０００１】
本発明は、髪ケア装置に関する。
【背景技術】
【０００２】
特許文献１に開示される従来の髪ケア装置としてのヘアドライヤーは、吸込口および吹出口が開口し内部に送風路を形成するハウジングと、ハウジング内に配置された送風用ファンと、ハウジング内の吹出口近傍に配置され且つ吹出口に向けて複数の小孔が開口するスチーム生成管と、スチーム生成管の外周に巻かれたヒータと、スチーム生成管に導水管を介して接続された水タンクと、を備えて構成されている。
【０００３】
この特許文献１のヘアドライヤーによれば、スイッチをＯＮして送風ファンとヒータとを作動させると、ハウジングの吸込口から吸い込まれた空気は、ヒータにより加熱されてハウジングの吹出口から熱風として吹き出される。この熱風により、霧吹き現象と同様に水タンク内の水は導水管を上昇してスチーム生成管に送られる。スチーム生成管に送られた水は、当該スチーム生成管の外周に巻装されたヒータによって加熱されてスチームになり、スチーム生成管の先端の複数の小孔から吹き出されて、熱風とともにハウジングの吹出口から吹き出される。そのため、スチームを含んだ熱風が得られるため、整髪を容易に行うことができる。
【特許文献１】実公昭４７−１６３０６公報
【発明の開示】
【発明が解決しようとする課題】
【０００４】
しかしながら、前記従来の髪ケア装置にあっては、スチームが必要であるときは導水管の途中に設けられた開閉弁を開き、スチームが不要であるときは当該開閉弁を閉じるようになっている。
【０００５】
そのため、導水管を通じてスチーム生成管に流れ込んだ水は、沸騰してスチームになるとそのままスチーム管の先端の小孔から流出することとなり、スチームの噴霧圧力が弱いために、スチームを毛髪の一部に集中的に当てることが難しいという問題点がある。
【０００６】
本発明は、このような従来技術をもとに為されたものであって、スチーム発生部の噴霧圧力を高めて、スチームを部分的に集中して当てるのに好適な髪ケア装置の提供を目的とする。
【課題を解決するための手段】
【０００７】
請求項１に記載の発明は、スチーム発生部を備える髪ケア装置であって、スチーム発生部は、液体を貯留可能で且つヒータからの熱を受熱可能な液体貯留室と、前記液体貯留室とフィルタで区画されたスチーム室と、前記スチーム室に設けられて前記液体貯留室内で蒸発したスチームを吹き出すスチーム噴霧口と、前記スチーム噴霧口を開閉する開閉弁と、を備え、前記髪ケア装置は、吸込口および吹出口を有するハウジングと、前記ハウジング内に配置されたファンと、を備えるヘアドライヤーであり、前記ハウジング内に配置され前記ファンにより送風される空気を暖める円筒状の温風用ヒータを備え、前記スチーム発生部は、前記円筒状の温風用ヒータの内周側に一部が位置して温風用ヒータの熱を受熱可能に配置されていることを特徴とするものである。
【００１０】
請求項２に記載の発明は、請求項１に記載の髪ケア装置であって、前記スチーム発生部は前記ハウジング内に配置され、前記スチーム噴霧口が前記ハウジング内において当該ハウジングの吹出口とほぼ面一に配置されていることを特徴とするものである。
【発明の効果】
【００１５】
請求項１に記載の発明によれば、開閉弁を閉じておくことで、スチーム発生部内のスチーム圧力を高くすることができ、この状態で、開閉弁で開くことで圧力の高いスチームを勢いよく噴霧できる。これにより、スチームを毛髪の一部に集中して当てるのに好適となる。
また、スチーム室が液体貯留室とフィルタで区画されているため、スチーム室に液体が流れ込みにくく、スチーム噴霧口が液体で塞がれにくくなる。これにより、スチーム噴霧口からより確実に圧力の高いスチームを噴霧できるようになる。
また、スチーム発生部が温風用ヒータの熱を受熱することで、別途スチーム用ヒータを設ける必要がなくなり、部品点数の増加を回避し、製造コストを低く抑えることができる。
さらに、上記の髪ケア装置をヘアドライヤーとして具現化できる。
【００１８】
請求項２に記載の発明によれば、請求項１に記載の発明の効果に加え、スチーム発生部のスチーム噴霧口がハウジング内に配置されているため、ハウジングの吹出口から吹き出される送風とともにスチームを吹き出すことができる。
【００１９】
また、スチーム噴霧口がハウジングの吹出口とほぼ面一に配置されているため、毛髪からの距離が、送風が吹き出される位置とスチームが吹き出される位置とでほぼ同一となる。そのため、同様の使用態様で使用でき、使い勝手が良い。
【００２０】
また、スチーム噴霧口がハウジングの吹出口とほぼ面一に配置されているため、スチーム噴霧口がハウジングの内側に奥まって配置されている場合に比べ、スチーム噴霧口からスチームが吹き出されて毛髪まで届くまでの送風の影響を受ける距離・時間が短くなる。そのため、スチームを毛髪に対してより部分的に勢いよく吹き付けることができる利点がある。
【発明を実施するための最良の形態】
【００２６】
以下、本発明の実施形態を図面を参照しつつ説明する。
【００２７】
（第１実施形態）
図１および図２は本発明の第１実施形態の髪ケア装置を示す。図１は第１実施形態の髪ケア装置としてのヘヤドライヤーの断面図であり、図２は同ヘアドライヤーのスチーム発生部の正面図である。
【００２８】
（構成）
本実施形態にかかる髪ケア装置としてのドライヤー１は、温風発生ユニット２と、当該温風発生ユニット２に固定的または回転自在に取り付けられたグリップ部４と、を備えて構成されている。
【００２９】
温風発生ユニット２は、ハウジング３内に、ファン５、温風用ヒータ７およびスチーム発生部９が配置されて構成されている。ハウジング３は、略円筒状に形成されることで、内部に送風路を形成し、その上流端には吸込口３ｂが開口し、下流端に吹出口３ｃが開口した構造である。このハウジング３内には当該ハウジング３の吸込口３ｂの近傍に、ファン５が設けられている。ファン５は、リブなどの支持部２１を介してハウジング３に固定されたファンモータ５ｍと、ファンモータ５ｍの出力軸に取り付けられてファンモータ５ｍによって回転駆動するファンブレード５ｆと、を備えて構成されている。
【００３０】
ファン５の下流側には、ハウジング３の略径方向中央部に温風用ヒータ７が配置されおり、ファン５からの送風を加熱できるようになっている。温風用ヒータ７は、例えば平板を十字に組み合わせてなるヒータ固定部２５に円筒状に巻回された例えばニクロム線などの電熱線によって構成されている。
【００３１】
この温風用ヒータ７の下流側には、リブなどの支持部２３を介してハウジング３に固定されたスチーム発生部９が配置されている。スチーム発生部９は、一部が円筒状の温風用ヒータ７の内周側に配置され、温風用ヒータ７の輻射熱を直接に受熱できるようになっている。
【００３２】
スチーム発生部９は、両端が塞がれた略円筒形状をしたケース９ａを備えて構成されている。ケース９ａの内部に、液体を貯留可能な液体貯留室１１と、フィルタ１４を介して液体貯留室１１と区画されたスチーム室１２と、が設けられている。また、ケース９ａには、スチーム室１２とケース９ａの外部を連通するスチーム噴霧口１３が開口している。
【００３３】
スチーム噴霧口１３は、送風方向に向いて開口しており、ハウジング３の吹出口３ｃとほぼ面一に設けられている。このスチーム噴霧口１３は開閉弁１９によって開閉自在となっており、そのため、スチーム発生部９内のスチームの圧力が高まってから開閉弁１９を開くことで、勢いよくスチームを噴霧できる。
【００３４】
スチーム室１２は使用状態において液体貯留室１１の上側になるように配置されており、流体が液体貯留室１１からスチーム室１２に流出しにくくなっている。また、液体貯留室１１とスチーム室１２とを区画するフィルタ１４は、液体の通過を抑制しつつスチームの通過を許容するものであり、これにより流体が液体貯留室１１からスチーム室１２にさらに流出しにくくなり、スチーム噴霧口１３が液体に塞がれてしまうことを防止できる。フィルタ１４としては、布や網などの素材を採用できるが、より好ましくは液体を通さず気体を通過させる素材（透湿防水シート）であると確実に液体貯留室１１とスチーム室１２との間の流体の出入りを防止できる。
【００３５】
また、スチーム発生部９のケース９ａ外には、栓１７で開閉自在な注水管１５が露出しており、この注水管１５を通じて液体貯留室１１に液体を注水可能になっている。
【００３６】
このような構成により、液体貯留室１１内の液体が沸騰して蒸発すると、蒸発したスチームが液体貯留室１１およびスチーム室１２内に充満して圧力が高まり、この状態で、開閉弁１９を開くと、スチーム噴霧口１３から勢いよくスチームが噴霧されることとなる。
【００３７】
次に、本実施形態のヘアドライヤー１の使用方法を説明する。
【００３８】
冷風吹出時：ドライヤー１のグリップ部４に設けられた図示せぬスイッチを操作して温風用ヒータ７をＯＦＦのままファンをＯＮにすると、ファン５によって送風される空気が、ハウジング３内を通過してそのままハウジング３の吹出口３ｃから吹き出される。
【００３９】
温風吹出時：一方、前記スイッチを操作してファン５および温風用ヒータ７をＯＮにすると、ファン５によって送風される空気がハウジング３内を通過する間に温風用ヒータ７で加熱されて、熱風としてハウジング３の吹出口３ｃから吹き出される。このとき、スチーム発生部９は温風用ヒータ７によって加熱され、内部で蒸発したスチームがスチーム発生部９内に充満して当該スチーム発生部９内の圧力が除々に高まる。この状態で、開閉弁１９を使用者が開くと、スチーム噴霧口１３から圧力の高いスチームが勢いよく噴霧される。これにより、吹出口３ｃから吹き出される熱風とともに、部分的にスチームをスポット噴霧することができる。
【００４０】
（効果）
このような本実施形態によれば、以下のような効果が得られる。
【００４１】
（１）第１実施形態の髪ケア装置１は、スチーム発生部９は、液体を貯留可能で且つヒータ７からの熱を受熱可能な液体貯留室１１と、液体貯留室１１内で蒸発したスチームを吹き出すスチーム噴霧口１３と、スチーム噴霧口１３を開閉する開閉弁１９と、を備えるものである。そのため、開閉弁１９を閉じておくことでスチーム発生部９内のスチーム圧力を高くすることができ、この状態で開閉弁１９で開くことで圧力の高いスチームを勢いよく噴霧できる。これにより、スチームを毛髪の一部に集中して当てるのに好適となる。
【００４２】
（２）また第１実施形態では、スチーム発生部９の内部に液体貯留室１１とフィルタ１４で区画されたスチーム室１２を備えて構成され、スチーム噴霧口１３がスチーム室１２に連通している。そのため、スチーム室１２に液体が流れ込みにくく、スチーム噴霧口１３が液体で塞がれにくくなる。これにより、スチーム噴霧口１３からより確実に圧力の高いスチームを噴霧することができる。
【００４３】
（３）また第１実施形態によれば、スチーム噴霧口１３が一つだけである。そのため、スチーム噴霧口１３が複数設けられている場合に比べ、より圧力の高いスチームを吹き出すことができ、より集中的なスチームのスポット噴霧が可能となる。
【００４４】
（４）また第１実施形態の髪ケア装置１は、吸込口３ｂおよび吹出口３ｃを有するハウジング３と、ハウジング３内に配置されたファン５と、を備えるヘアドライヤーである。そのため、上記（１）〜（３）の効果を有する髪ケア装置をヘアドライヤー１として具現化できる。
【００４５】
（５）また第１実施形態の髪ケア装置としてのヘアドライヤー１は、スチーム発生部９がハウジング３内に配置され、スチーム発生部９のスチーム噴霧口１３がハウジング３内において当該ハウジング３の吹出口３ｃの近傍に配置されている。そのため、複雑な構造を付加することなく、ハウジング３の吹出口３ｃから吹き出される送風とともにスチームを吹き出すことができる。
【００４６】
（６）また第１実施形態の髪ケア装置としてのヘアドライヤー１は、スチーム噴霧口１３がハウジング３の吹出口３ｃとほぼ面一に配置されている。そのため、毛髪までの距離は、送風が吹き出される位置とスチームが吹き出される位置とでほぼ同一となり、同様の使用態様で使用でき、使い勝手が良い。
【００４７】
また、スチーム噴霧口１３がハウジング３の吹出口３ｃとほぼ面一に配置されているため、スチーム噴霧口１３がハウジング３の内側に奥まって配置されている場合に比べ、スチーム噴霧口１３からスチームが吹き出されて毛髪まで届くまでに、送風の影響を受ける距離・時間が短くなる。そのため、スチームを毛髪に対してより勢いよく吹き付けることができる利点がある。
【００４８】
（７）また第１実施形態の髪ケア装置１は、ファン５により送風される空気を暖める温風用ヒータ７をさらに備え、スチーム発生部９が温風用ヒータ７の熱を受熱可能に配置されている。そのため、スチーム発生部９が温風用ヒータの熱を受熱することで、別途スチーム用ヒータを設ける必要がなくなり、部品点数の増加を回避し、製造コストを低く抑えることができる。
【００４９】
なお第１実施形態では、温風用ヒータ７とは別にスチーム用ヒータを設けていないが、別途、スチーム用ヒータを設けると冷風送風時にもスチームを噴霧できる利点がある。
【００５０】
次に他の実施形態について説明する。なお、以下の説明において既に説明した構成については同一符号を付して、重複する説明を省略する。
【００５１】
（第２実施形態）
図３、４は本発明の第２実施形態の髪ケア装置を示すものである。
【００５２】
第２実施形態の髪ケア装置は、第１実施形態とは異なり、スチーム発生部９がハウジング３外に配置されている点で第１実施形態と異なる。
【００５３】
スチーム発生部９は、ハウジング３外側に取り付けられたカバー３１内に配置されており、当該カバー３１内にはスチーム発生部９を加熱するためのスチーム用ヒータ８が温風用ヒータ７とは別に設けられている。スチーム発生部９のスチーム噴霧口１３は、ハウジング３外においてハウジング３の吹出口３ｃと同じ向きに開口しており、当該吹出口３ｃの近傍において当該吹出口３ｃとほぼ面一に配置されている。
【００５４】
このような第２実施形態の髪ケア装置によれば、以下の効果を奏する。
【００５５】
第２実施形態の髪ケア装置によれば、第１実施形態と同様に、スチーム発生部９が、液体を貯留可能で且つヒータ７からの熱を受熱可能な液体貯留室１１と、液体貯留室１１内で蒸発したスチームを吹き出すスチーム噴霧口１３と、スチーム噴霧口１３を開閉する開閉弁１９と、を備える。そのため、開閉弁１９を閉じておくことでスチーム発生部９内のスチーム圧力を高くすることができ、この状態で開閉弁１９で開くことで圧力の高いスチームを勢いよく噴霧できる。これにより、スチームを毛髪の一部に集中して当てるのに好適となる。
【００５６】
また第２実施形態によれば、第１実施形態と同様に、スチーム噴霧口１３が一つだけである。そのため、スチーム噴霧口１３が複数設けられている場合に比べ、より圧力の高いスチームを吹き出すことができ、より集中的なスチームのスポット噴霧が可能となる。
【００５７】
また第２実施形態によれば、第１実施形態と同様に、スチーム発生部９の内部に液体貯留室１１とフィルタ１４で区画されたスチーム室１２を備えて構成され、スチーム噴霧口１３がスチーム室１２に連通している。そのため、スチーム室１２に液体が流れ込みにくく、スチーム噴霧口１３が液体で塞がれにくくなる。これにより、スチーム噴霧口１３からより確実に圧力の高いスチームを噴霧することができる。
【００５８】
また第２実施形態の髪ケア装置１は、第１実施形態と同様に、吸込口３ｂおよび吹出口３ｃを有するハウジング３と、ハウジング３内に配置されたファン５と、を備えることで、ヘアドライヤーとして具現化できる。
【００５９】
また第２実施形態の髪ケア装置としてのヘアドライヤー１によれば、ハウジング３外にスチーム発生部９が配置され、当該スチーム発生部９のスチーム噴霧口１３がハウジング３外にそのまま露出している。そのため、複雑な構造を付加することなく、ハウジング３の吹出口３ｃから吹き出される送風とは別にスチームを吹き出すことができる。
【００６０】
また第２実施形態の髪ケア装置としてのヘアドライヤー１は、第１実施形態と同様に、スチーム噴霧口１３がハウジング３の吹出口３ｃとほぼ面一に配置されている。そのため、毛髪までの距離は、送風が吹き出される位置とスチームが吹き出される位置とでほぼ同一となり、同様の使用態様で使用でき、使い勝手が良い。
【００６１】
なお、第２実施形態のヘアドライヤー１では、温風用ヒータ７とは別途スチーム用ヒータ８を追加してあるが、ハウジング３に開口を設けるなどしてスチーム発生部９で温風用ヒータ７の熱を受熱可能に構成することで、スチーム用ヒータ８を廃止してもよい。
【００６２】
（第３実施形態）
図５〜７は本発明の第３実施形態の髪ケア装置を示すものである。
【００６３】
第３実施形態の髪ケア装置は、ヘアアイロン１００である点で第１、第２実施形態と異なる。
【００６４】
第３実施形態の髪ケア装置としてのヘアアイロン１００は、図５、６に示すように、ピボット部１０９を中心に互いに回転自在に装着された一対のハウジング１０１、１０３を備えて構成されている。一対のハウジング１０１、１０３は互いに狭持自在に設けられており、一対のハウジング１０１、１０３の狭持面には毛髪を挟み込んで加熱するためのアイロン板１０１ｂ、１０３ｂがそれぞれ設けられている。そして、一方のハウジング１０１の内部には、図７に示すように、アイロン板１０１ｂを加熱するためのアイロン用ヒータ１０８が設けられており、このアイロン用ヒータ１０８の熱を受熱可能な位置にスチーム発生部９が配置されている。また、当該一方のハウジング１０１には、アイロン板１０１ｂの近傍にスチーム吹出口１０５が開口し、このスチーム吹出口１０５とほぼ面一にスチーム発生部９のスチーム噴霧口１３が設けられ、当該スチーム噴霧口１３が開閉弁１９で開閉自在となっている。
【００６５】
このような構成により、ハウジング１０１の側面に設けられたスイッチ１０７をＯＮすると、アイロン用ヒータ１０８に接触するアイロン板１０１ｂおよびスチーム発生部９が加熱される。スチーム噴霧口１３は開閉弁１９で閉じられているため、スチーム発生部９内にはスチームが充満して当該スチーム発生部９内の圧力が高まる。
【００６６】
必要に応じて開閉弁１９を開いて毛髪にアイロンをかけると、髪を加湿しながらウエーブをかけたり癖毛を直したりできるため、整髪が容易となる。また、開閉弁１９を閉じたまま毛髪にアイロンをかけることもできる。
【００６７】
このような第３実施形態の髪ケア装置１００によれば、以下の効果を奏する。
【００６８】
第３実施形態の髪ケア装置１００によれば、第１実施形態と同様に、スチーム発生部９が、液体を貯留可能で且つヒータ７からの熱を受熱可能な液体貯留室１１と、液体貯留室１１内で蒸発したスチームを吹き出すスチーム噴霧口１３と、スチーム噴霧口１３を開閉する開閉弁１９と、を備える。そのため、開閉弁１９を閉じておくことでスチーム発生部９内のスチーム圧力を高くすることができ、この状態で開閉弁１９で開くことで圧力の高いスチームを勢いよく噴霧できる。これにより、スチームを毛髪の一部に集中して当てるのに好適となる。
【００６９】
また第３実施形態によれば、各スチーム室１２に対してスチーム噴霧口１３が一つだけである。そのため、スチーム噴霧口１３が複数設けられている場合に比べ、より圧力の高いスチームを吹き出すことができ、より集中的なスチームのスポット噴霧が可能となる。
【００７０】
また第３実施形態によれば、第１実施形態と同様に、スチーム発生部９の内部に液体貯留室１１とフィルタ１４で区画されたスチーム室１２を備えて構成され、スチーム噴霧口１３がスチーム室１２に連通している。そのため、スチーム室１２に液体が流れ込みにくく、スチーム噴霧口１３が液体で塞がれにくくなる。これにより、スチーム噴霧口１３からより確実に圧力の高いスチームを噴霧することができる。
【００７１】
また第３実施形態の髪ケア装置１００は、互いに回転自在に装着されて狭持自在に設けられた一対のハウジング１０１、１０３と、前記一対のハウジング１０１、１０３の狭持面において毛髪を挟み込んで加熱する一対のアイロン板１０１ｂ、１０３ｂと、を備えたヘアアイロンであり、前記一対のハウジングの少なくとも一方（この例ではハウジング１０１）にスチーム発生部９が配置された構造である。そのため、上記効果を備える髪ケア装置をヘアアイロンとして具現化できる。
【００７２】
また第３実施形態の髪ケア装置としてのヘアアイロン１００は、一方のハウジング１０１のアイロン板１０１ｂの近傍に、スチーム発生部９のスチーム噴霧口１３からのスチームをハウジング１０１の外部に吹き出すスチーム吹出口１０５が開口しており、当該ハウジング１０１のスチーム吹出口１０５と、スチーム発生部９のスチーム噴霧口１３と、がほぼ面一に設けられている。そのため、毛髪までの距離をできる限り近接させることができ、より勢いのあるスチームを毛髪に噴霧することができる。
【００７３】
また第３実施形態の髪ケア装置としてのヘアアイロン１００では、スチーム発生部９が、アイロン用ヒータ１０８の熱を受熱可能に配置されている。そのため、別途スチーム用ヒータを設ける必要がなくなり、部品点数の増加を回避し、製造コストを低く抑えることができる。
【００７４】
（第４実施形態）
図８、９は本発明の第４実施形態の髪ケア装置を示すものである。
【００７５】
第４実施形態の髪ケア装置は、ヘアブラシ２００である点で第１〜３実施形態と異なる。
【００７６】
第４実施形態の髪ケア装置としてのヘアブラシ２００は、複数のブリスル２０２を有するブラシ部２０３がハウジング２０１に固定された構造をしている。ハウジング２０１は、使用者が把持可能に形成されており、ハウジング２０１内にはスチーム発生部９およびスチーム発生部９を加熱するスチーム用ヒータ８が配置されている。
【００７７】
ハウジング２０１のブラシ部２０３にはスチーム吹出口２０７が開口しており、このスチーム吹出口２０７を通じてスチーム噴霧口１３からのスチームをハウジング２０１外部に吹き出すことができるようになっている。
【００７８】
このハウジング２０１のスチーム吹出口２０７と、スチーム発生部９のスチーム噴霧口１３と、はほぼ面一に設けられており、毛髪までの距離ができる限り近接するようになっている。
【００７９】
このような構成により、ハウジング２０１の側面には設けられたスイッチ２０５をＯＮすると、スチーム用ヒータ８によってスチーム発生部９が加熱され、スチーム発生部９内にスチームが充満して当該スチーム発生部９内の圧力が高まる。この状態で、開閉弁１９を開くとスチーム噴霧口１３からスチームが吹き出され、毛髪にブラッシングをかけながらスチームを噴霧することができ、整髪が容易となる。
【００８０】
以下、第４実施形態の効果を列挙する。
【００８１】
第４実施形態によれば、第１〜３実施形態と同様に、スチーム発生部９が、液体を貯留可能で且つヒータ７からの熱を受熱可能な液体貯留室１１と、液体貯留室１１内で蒸発したスチームを吹き出すスチーム噴霧口１３と、スチーム噴霧口１３を開閉する開閉弁１９と、を備える。そのため、開閉弁１９を閉じておくことでスチーム発生部９内のスチーム圧力を高くすることができ、この状態で開閉弁１９で開くことで圧力の高いスチームを勢いよく噴霧できる。これにより、スチームを毛髪の一部に集中して当てるのに好適となる。
【００８２】
また第４実施形態によれば、第１〜３実施形態と同様に、スチーム発生部９の内部に液体貯留室１１とフィルタ１４で区画されたスチーム室１２を備えて構成され、スチーム噴霧口１３がスチーム室１２に連通している。そのため、スチーム室１２に液体が流れ込みにくく、スチーム噴霧口１３が液体で塞がれにくくなる。これにより、スチーム噴霧口１３からより確実に圧力の高いスチームを噴霧することができる。
【００８３】
また第４実施形態の髪ケア装置によれば、第１〜３実施形態と同様に、スチーム噴霧口１３が一つだけである。そのため、スチーム噴霧口１３が複数設けられている場合に比べ、より圧力の高いスチームを吹き出すことができ、より集中的なスチームのスポット噴霧が可能となる
また第４実施形態によれば、ハウジング２０１と、ハウジング２０１に設けられたブリスル２０２を有するブラシ部２０３と、を備えたヘアブラシであり、ハウジング２０１内にスチーム発生部９が配置され、ハウジング２０１のブラシ部２０３の近傍位置にスチーム発生部９のスチーム噴霧口１３からのスチームを外部に吹き出すスチーム吹出口２０７を備えるものである。そのため、上記効果を有する髪ケア装置をヘアブラシ２００として具現化できる。
【００８４】
また第４実施形態のヘアブラシ２００では、ハウジング２０１のスチーム吹出口２０７と、スチーム発生部９のスチーム噴霧口１３と、がほぼ面一に設けられている。そのため、毛髪までの距離をできる限り近接させることができ、より勢いのあるスチームを毛髪に噴霧することができる。
【００８５】
なお本発明の髪ケア装置は上述の実施形態に例をとって説明したが、これら実施形態に限定解釈されるべきではなく本発明の要旨を逸脱しない範囲で他の実施形態を採用することができる。
【００８６】
例えば、上述の実施形態では、スチーム発生部９内に圧力センサを設け、スチーム発生部９内が所定の圧力以上になったことを使用者に告知するランプやブザーなどを設けてもよい。
【００８７】
また、上述の実施形態では、開閉弁１９はいずれも手動で開閉される例を示したが、当該開閉弁１９を電気的に開閉する駆動手段を設けてもよい。また、スチーム発生部９内の圧力を検出する圧力センサの検出値に基づいて、駆動手段を制御する制御部を設けて、開閉弁１９を自動的に開閉するように構成してもよい。
【００８８】
また、上述の実施形態では、ヘアドライヤー、ヘアアイロン、ヘアブラシを例に説明したが、これらに限られることなく、その他の髪ケア装置にも本発明を適用することができる。また、その他、様々な変形が可能である。
【図面の簡単な説明】
【００８９】
【図１】図１は本発明の第１実施形態の髪ケア装置としてのヘアドライヤーの断面図。
【図２】図２は同ヘアドライヤーのスチーム発生部の正面図。
【図３】図３は第２実施形態の髪ケア装置としてのヘアドライヤーの断面図。
【図４】図４は第２実施形態のヘアドライヤーのスチーム発生部の正面図。
【図５】図５は第３実施形態の髪ケア装置としてのヘアアイロンの斜視図。
【図６】図６は同ヘアアイロンの側面図。
【図７】図７は図６中のＸ−Ｘ断面図。
【図８】図８は第４実施形態の髪ケア装置としてのヘアブラシを示す図であって、（ａ）は正面図、（ｂ）は断面図。
【符号の説明】
【００９０】
１…ヘアドライヤー（髪ケア装置）
３…ハウジング
３ｂ…吸込口
３ｃ…吹出口
５…ファン
７…温風用ヒータ
８…スチーム用ヒータ
９…スチーム発生部
１１…液体貯留室
１２…スチーム室
１３…スチーム噴霧口
１４…フィルタ
１９…開閉弁
１００…ヘアアイロン（髪ケア装置）
１０１…ハウジング
１０１ｂ…アイロン板
１０３…ハウジング
１０３ｂ…アイロン板
１０５…スチーム吹出口
２００…ヘアブラシ（髪ケア装置）
２０１…ハウジング
２０２…ブリスル
２０３…ブラシ部
２０７…スチーム吹出口
【図１】
0005009767.tif 000002
【図２】
0005009767.tif 000003
【図３】
0005009767.tif 000004
【図４】
0005009767.tif 000005
【図５】
0005009767.tif 000006
【図６】
0005009767.tif 000007
【図７】
0005009767.tif 000008
【図８】
0005009767.tif 000009